(57)【要約】【課題】  本発明は、入力コネクタと出力コネクタとが同一の形状である電子機器と外部機器との誤接続を正確に検出し、電子機器と外部機器とが正常に接続されるようにすることを目的とする。【解決手段】  電子機器は、外部装置を接続するためのコネクタと、前記コネクタを介して検出される接続信号のレベル及び前記コネクタを介して行われる所定の通信の組み合わせに基づいて、前記コネクタと前記外部装置とが誤接続されているか否かを検出する検出手段と、前記検出手段によって前記コネクタと前記外部装置とが誤接続されていると検出された場合、警告を通知するためのデータを出力するように制御する制御手段とを有する。【選択図】  図１
2014165738.tif 000002
【特許請求の範囲】
【請求項１】
外部装置を接続するための入力コネクタと、
前記入力コネクタを介して検出される接続信号のレベル及び前記入力コネクタを介して行われる所定の通信の組み合わせに基づいて、前記入力コネクタと前記外部装置とが誤接続されているか否かを検出する検出手段と、
前記検出手段によって前記入力コネクタと前記外部装置とが誤接続されていると検出された場合、警告を通知するためのデータを出力するように制御する制御手段とを有することを特徴とする電子機器。
【請求項２】
前記接続信号がＨレベルでない場合、前記検出手段は、前記入力コネクタと前記外部装置とが誤接続されていると検出することを特徴とする請求項１に記載の電子機器。
【請求項３】
前記接続信号がＨレベルである場合において、前記所定の通信が行われた場合、前記検出手段は、前記入力コネクタと前記外部装置とが誤接続されていないと検出することを特徴とする請求項１または２に記載の電子機器。
【請求項４】
前記接続信号がＨレベルである場合において、前記所定の通信が行われていない場合、前記制御手段は、前記接続信号がＬレベルになるように制御し、
前記接続信号がＬレベルになるように制御される場合、前記接続信号がＬレベルでない場合、前記検出手段は、前記入力コネクタと前記外部装置とが誤接続されていると検出することを特徴とする請求項１から３のいずれか１項に記載の電子機器。
【請求項５】
前記接続信号がＨレベルである場合において、前記所定の通信が行われていない場合、前記制御手段は、前記接続信号がＬレベルになるように制御し、
前記接続信号がＬレベルになるように制御される場合、前記接続信号がＬレベルである場合、前記検出手段は、前記入力コネクタと前記外部装置とが誤接続されていないと検出することを特徴とする請求項１から４のいずれか１項に記載の電子機器。
【請求項６】
前記接続信号は、ＨＰＤ信号であることを特徴とする請求項１から５のいずれか１項に記載の電子機器。
【請求項７】
前記所定の通信は、ＥＤＩＤ及びＤＰＣＤの少なくとも一つを前記電子機器から取得するための通信であることを特徴とする請求項１から６のいずれか１項に記載の電子機器。
【請求項８】
外部装置を接続するための出力コネクタと、
前記出力コネクタを介して検出される接続信号のレベル及び前記出力コネクタを介して行われる所定の通信の組み合わせに基づいて、前記出力コネクタと前記外部装置とが誤接続されているか否かを検出する検出手段と、
前記検出手段によって前記出力コネクタと前記外部装置とが誤接続されていると検出された場合、警告を通知するためのデータを出力するように制御する制御手段とを有することを特徴とする電子機器。
【請求項９】
前記接続信号がＨレベルでない場合において、前記制御手段は、前記接続信号がＨレベルになるように制御し、
前記接続信号がＨレベルになるように制御される場合、前記所定の通信が行われた場合、前記検出手段は、前記出力コネクタと前記外部装置とが誤接続されていると検出することを特徴とする請求項８に記載の電子機器。
【請求項１０】
前記接続信号がＨレベルでない場合において、前記制御手段は、前記接続信号がＨレベルになるように制御し、
前記接続信号がＨレベルになるように制御される場合、前記所定の通信が行われていない場合、前記検出手段は、前記出力コネクタと前記外部装置とが誤接続されていないと検出することを特徴とする請求項８または９に記載の電子機器。
【請求項１１】
前記制御手段によって前記接続信号がＨレベルになるように制御されていない場合で、前記接続信号がＨレベルである場合、前記検出手段は、前記出力コネクタと前記外部装置とが誤接続されていないと検出することを特徴とする請求項８から１０のいずれか１項に記載の電子機器。
【請求項１２】
前記接続信号は、ＨＰＤ信号であることを特徴とする請求項８から１１のいずれか１項に記載の電子機器。
【請求項１３】
前記所定の通信は、ＥＤＩＤ及びＤＰＣＤの少なくとも一つを前記電子機器から取得するための通信であることを特徴とする請求項８から１２のいずれか１項に記載の電子機器。
【請求項１４】
第１の外部装置を接続するための入力コネクタと、
第２の外部装置を接続するための出力コネクタと、
前記入力コネクタを介して検出される接続信号のレベル及び前記入力コネクタを介して行われる所定の通信の組み合わせに基づいて、前記入力コネクタと前記第１の外部装置とが誤接続されているか否かを検出する第１の検出手段と、
前記出力コネクタを介して検出される接続信号及び前記出力コネクタを介して行われる所定の通信の組み合わせに基づいて、前記出力コネクタと前記第２の外部装置とが誤接続されているか否かを検出する第２の検出手段と、
前記第１の検出手段及び前記第２の検出手段による検出の結果に基づいて、警告を通知するための所定のデータを出力するように制御する制御手段とを有することを特徴とする電子機器。
【請求項１５】
前記第１の検出手段によって、前記入力コネクタと前記第１の外部装置とが正常に接続されていると検出された場合であって、前記第２の検出手段によって、前記出力コネクタと前記第２の外部装置とが誤接続されていると検出された場合、前記制御手段は、前記所定のデータを前記第１の外部装置に通知するように制御することを特徴とする請求項１４に記載の電子機器。
【請求項１６】
前記第１の検出手段によって、前記入力コネクタと前記第１の外部装置とが誤接続されていると検出された場合であって、前記第２の検出手段によって、前記出力コネクタと前記第２の外部装置とが正常に接続されていると検出された場合、前記制御手段は、前記所定のデータを前記第２の外部装置に通知するように制御することを特徴とする請求項１４または１５に記載の電子機器。
【発明の詳細な説明】
【技術分野】
【０００１】
本発明は、入力コネクタと出力コネクタとが同一の形状である電子機器に関する。
【背景技術】
【０００２】
近年、同一の形状である入力コネクタと出力コネクタと有する電子機器が存在する。このような場合、ユーザは、例えば、電子機器の出力コネクタを通信ケーブルを介して外部装置の出力コネクタに接続するような誤接続を行ってしまう場合があった。
【０００３】
電子機器と外部装置とが誤接続された場合、電子機器は、外部装置から正常にデータを受信することはできず、外部装置から受信されたデータの表示等を行うことができなかった。
【０００４】
従来、通信ケーブル内でループバックする結線を設け、結線構造の異なる通信ケーブルを用いることで、同一の形状である入力コネクタと出力コネクタとを有する電子機器において、電子機器と外部装置との誤接続を検出することが知られている（特許文献１参照）。
【先行技術文献】
【特許文献】
【０００５】
【特許文献１】特開２０００−３１１０３８公報
【発明の概要】
【発明が解決しようとする課題】
【０００６】
しかしながら、この場合、結線構造の異なる通信ケーブルを複数用いる必要があり、容易に電子機器と外部装置とが誤接続されているか否かを検出することができなかった。また、結線構造の異なる複数の通信ケーブルを用いることなく電子機器と外部装置との誤接続を正確に検出することができなかった。
【０００７】
そこで、本発明は電子機器と外部機器とが誤接続されているか否かを検出し、電子機器と外部機器とが正常に接続されるようにすることを目的とする。
【課題を解決するための手段】
【０００８】
本発明に係る電子機器は、外部装置を接続するための入力コネクタと、前記入力コネクタを介して検出される接続信号のレベル及び前記入力コネクタを介して行われる所定の通信の組み合わせに基づいて、前記入力コネクタと前記外部装置とが誤接続されているか否かを検出する検出手段と、前記検出手段によって前記入力コネクタと前記外部装置とが誤接続されていると検出された場合、警告を通知するためのデータを出力するように制御する制御手段とを有することを特徴とする。
【０００９】
また、本発明に係る電子機器は、外部装置を接続するための出力コネクタと、前記出力コネクタを介して検出される接続信号のレベル及び前記出力コネクタを介して行われる所定の通信の組み合わせに基づいて、前記出力コネクタと前記外部装置とが誤接続されているか否かを検出する検出手段と、前記検出手段によって前記出力コネクタと前記外部装置とが誤接続されていると検出された場合、警告を通知するためのデータを出力するように制御する制御手段とを有することを特徴とする。
【００１０】
また、本発明に係る電子機器は、第１の外部装置を接続するための入力コネクタと、第２の外部装置を接続するための出力コネクタと、前記入力コネクタを介して検出される接続信号のレベル及び前記入力コネクタを介して行われる所定の通信の組み合わせに基づいて、前記入力コネクタと前記第１の外部装置とが誤接続されているか否かを検出する第１の検出手段と、前記出力コネクタを介して検出される接続信号及び前記出力コネクタを介して行われる所定の通信の組み合わせに基づいて、前記出力コネクタと前記第２の外部装置とが誤接続されているか否かを検出する第２の検出手段と、前記第１の検出手段及び前記第２の検出手段による検出の結果に基づいて、警告を通知するための所定のデータを出力するように制御する制御手段とを有することを特徴とする。
【発明の効果】
【００１１】
本発明によれば、電子機器と外部装置とが誤接続されているか否かを正確に検出し、電子機器と外部装置とが正常に接続されるようにすることができる。
【図面の簡単な説明】
【００１２】
【図１】本発明の実施例１及び２に係る電子機器の一例を示すブロック図である。
【図２】本発明の実施例１及び２に係る電子機器における入力接続検出部の構成の一例を示すブロック図である。
【図３】本発明の実施例１及び２に係る電子機器における出力接続検出部の構成の一例を示すブロック図である。
【図４】本発明の実施例１に係る第１の検出処理の一例を示すフローチャートである。
【図５】本発明の実施例１に係る第２の検出処理の一例を示すフローチャートである。
【図６】本発明の実施例２に係る通信システムの一例を示す図である。
【図７】本発明の実施例２に係る通知処理の一例を示すフローチャートである。
【発明を実施するための形態】
【００１３】
本発明に係る電子機器について、以下の実施例を参照し、説明する。
【００１４】
［実施例１］
図１は、本発明の実施例１に係る電子機器１００の構成を示すブロック図である。実施例１に係る電子機器１００は、Ｄｉｓｐｌａｙ  Ｐｏｒｔ（登録商標）規格に準拠した表示装置である。なお、実施例１に係る電子機器１００は、Ｄｉｓｐｌａｙ  Ｐｏｒｔ規格に準拠した通信ケーブル４００を介して外部装置と接続される。
【００１５】
図２に示すように、通信ケーブル４００には、ＡＵＸ（Ａｕｘｉｌｉａｒｙ）ライン４０１、ＨＰＤ（ＨｏｔＰｌｕｇ  Ｄｅｔｅｃｔ）ライン４０２及びＭＡＩＮ  ＬＩＮＫライン４０３が含まれている。ＡＵＸライン４０１は、電子機器１００と外部装置との間で双方向にＡＵＸ信号を伝送するラインである。ＨＰＤライン４０２は、電子機器１００と外部装置との間で一方向にＨＰＤ信号（接続信号）を伝送するラインである。ＭＡＩＮ  ＬＩＮＫライン４０３は、電子機器１００と外部装置との間で一方向にＭＡＩＮ  ＬＩＮＫ信号を伝送するラインである。
【００１６】
ＡＵＸ信号は、電子機器１００を制御するための制御データ及び外部装置を制御するための制御データの少なくとも一つを含む。また、ＡＵＸ信号は、通信ケーブル４００を介して接続される外部装置と電子機器１００との間で制御データを伝送するために必要なＡＵＸ通信の認証を行うために用いられる。また、ＨＰＤ信号は、電子機器１００の存在を通信ケーブル４００を介して接続される外部装置に検出させるために用いられる。また、ＨＰＤ信号については後述する。ＭＡＩＮ  ＬＩＮＫ信号は、画像データ及び音声データの少なくとも一つを伝送するための信号である。
【００１７】
図２のように、外部装置の出力コネクタと、電子機器１００の入力コネクタ１０１とが通信ケーブル４００を介して接続されている場合、電子機器１００は、外部装置から画像データ及び音声データの少なくとも一つを受信することができる。外部装置の入力コネクタと、電子機器１００の出力コネクタ１０４とが通信ケーブル４００を介して接続されている場合、電子機器１００は、外部装置に画像データ及び音声データの少なくとも一つを送信することができる。
【００１８】
また、外部装置の入力コネクタと、電子機器１００の入力コネクタ１０１とが通信ケーブル４００を介して接続されている場合、電子機器１００と外部装置との間で正常にＤｉｓｐｌａｙ  Ｐｏｒｔ規格に準拠した通信を行うことはできない。外部装置の出力コネクタと、電子機器１００の出力コネクタ１０４とが通信ケーブル４００を介して接続されている場合も、電子機器１００と外部装置との間で正常にＤｉｓｐｌａｙ  Ｐｏｒｔ規格に準拠した通信を行うことはできない。
【００１９】
なお、外部装置が、例えば表示装置である場合、外部装置と電子機器１００とが正常に接続されている場合、電子機器１００は、外部装置と通信ケーブル４００を介してカスケード接続を行うことができる。
【００２０】
図１において、電子機器１００は、入力コネクタ１０１と、入力接続検出部１０２と、ＢＲＡＮＣＨ部１０３と、出力コネクタ１０４と、出力接続検出部１０５と、通信部１０６とを有する。さらに、電子機器１００は、画像生成部１０７と、制御部１０８と、表示部１０９とを有する。
【００２１】
入力コネクタ１０１は、通信ケーブル４００を介して外部装置を接続する。入力コネクタ１０１は、通信ケーブル４００を介して外部からＭＡＩＮ  ＬＩＮＫ信号を電子機器１００に入力するためのコネクタである。図２のように、入力コネクタ１０１は、通信ケーブル４００を接続するために、ＡＵＸピン１０１ａ、ＨＰＤピン１０１ｂ及びＭＡＩＮ  ＬＩＮＫ  ＬＡＮＥピン１０１ｃを有する。入力コネクタ１０１と通信ケーブル４００とが接続された場合、ＡＵＸピン１０１ａとＡＵＸライン４０１とが接続され、ＨＰＤピン１０１ｂとＨＰＤライン４０２とが接続される。さらに、入力コネクタ１０１と通信ケーブル４００とが接続された場合、ＭＡＩＮ  ＬＩＮＫ  ＬＡＮＥピン１０１ｃとＭＡＩＮ  ＬＩＮＫライン４０３とが接続される。
【００２２】
入力コネクタ１０１と、通信ケーブル４００及び外部装置の少なくとも一つとが接続されていない場合、入力コネクタ１０１は、未接続状態となる。入力コネクタ１０１と、外部装置の出力コネクタとが通信ケーブル４００を介して接続される場合、電子機器１００と外部装置とが正常に接続されるので、入力コネクタ１０１は、正常接続状態となる。入力コネクタ１０１と外部装置の入力コネクタとが通信ケーブル４００を介して接続される場合、電子機器１００と外部装置とが誤接続されたことになるため、入力コネクタ１０１は、誤接続状態となる。
【００２３】
入力コネクタ１０１が正常接続状態である場合、電子機器１００は、外部装置にＨＰＤ信号を送信し、外部装置から電子機器１００にＨＰＤ信号は送信されない。入力コネクタ１０１が正常接続状態である場合、電子機器１００は、通信ケーブル４００を介して外部装置からＭＡＩＮ  ＬＩＮＫ信号を受信することができる。入力コネクタ１０１が正常接続状態である場合、電子機器１００は、通信ケーブル４００を介して外部装置とＡＵＸ信号を双方向で送受信することができる。
【００２４】
入力コネクタ１０１が誤接続状態である場合、外部装置から電子機器１００にＨＰＤ信号が送信される場合がある。入力コネクタ１０１が誤接続状態である場合、電子機器１００は、通信ケーブル４００を介して外部装置からＭＡＩＮ  ＬＩＮＫ信号を受信することはできない。入力コネクタ１０１が誤接続状態である場合、電子機器１００は、通信ケーブル４００を介して外部装置とＡＵＸ信号を双方向で送受信することはできない。
【００２５】
入力接続検出部１０２は、入力コネクタ１０１が、未接続状態、正常接続状態及び誤接続状態のいずれか一つであることを検出する。
【００２６】
入力接続検出部１０２について、図２を用いて詳細に説明する。図２において、入力接続検出部１０２は、ＨＰＤ信号検出部２０１と、ＨＰＤ信号制御部２０２と、ＡＵＸ通信検出部２０３と、入力接続記憶部２０４とを有する。
【００２７】
ＨＰＤ信号検出部２０１は、ＨＰＤピン１０１ｂの電圧を測定し、ＨＰＤピン１０１ｂの電圧を示すＨＰＤ信号が、Ｈ（Ｈｉｇｈ）レベルであるか、Ｌ（Ｌｏｗ）レベルであるかを検出する。例えば、ＨＰＤ信号検出部２０１は、測定したＨＰＤピン１０１ｂの電圧が、第１の閾値（例えば、２．０Ｖ）より高い場合は、ＨＰＤ信号がＨレベルであると検出する。また、ＨＰＤ信号検出部２０１は、測定したＨＰＤピン１０１ｂの電圧が第２の閾値（例えば、０．８Ｖ）より低い場合は、ＨＰＤ信号がＬレベルであると検出する。
【００２８】
ＨＰＤ信号制御部２０２は、ＨＰＤピン１０１ｂに印加される電圧を制御することでＨＰＤ信号を外部装置に送信する。ＨＰＤ信号制御部２０２は、入力コネクタ１０１と外部装置とが通信ケーブル４００を介して接続されている場合、ＡＵＸ通信の認証を開始することを外部装置に検出させるために、ＨＰＤ信号を外部装置に送信する。
【００２９】
このため、ＨＰＤ信号制御部２０２は、ＢＲＡＮＣＨ部１０３が動作可能な状態であることがＢＲＡＮＣＨ部１０３から通知された場合、ＨレベルのＨＰＤ信号を外部装置に送信する。この場合、ＨＰＤ信号制御部２０２は、ＨＰＤピン１０１ｂに印加される電圧が第１の閾値よりも高くになるように制御する。外部装置がＨレベルのＨＰＤ信号を検出した場合、外部装置は、第１の情報を電子機器１００から取得するためのＡＵＸ信号を電子機器１００に送信し、ＡＵＸ通信の認証を行う。さらに、また、この場合、外部装置がＨレベルのＨＰＤ信号を検出したとき、外部装置は、第２の情報を電子機器１００から取得するためのＡＵＸ信号を電子機器１００に送信し、ＡＵＸ通信の認証を行う。
【００３０】
なお、第１の情報は、画像データ及び音声データの少なくとも一つを電子機器１００に送信するために必要な情報である。第１の情報は、外部装置が電子機器１００に送信するための画像データ及び音声データの少なくとも一つを生成するために用いられる。例えば、第１の情報は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）またはＥ−ＥＤＩＤ（Ｅｎｈａｎｃｅｄ  ＥＤＩＤ）である。電子機器１００のＥＤＩＤ及びＥ−ＥＤＩＤはいずれも、電子機器１００のデバイス情報である。電子機器１００のＥＤＩＤ及びＥ−ＥＤＩＤはいずれも、電子機器１００の識別情報、電子機器１００の画像表示能力を示す情報、電子機器１００の対応する解像度を示す情報、電子機器１００の音声出力能力を示す情報等を含む。例えば、電子機器１００のＥＤＩＤ及びＥ−ＥＤＩＤには、電子機器１００がサポートしている解像度を示す情報、走査周波数を示す情報、アスペクト比を示す情報、色空間などに関する情報が含まれている。Ｅ−ＥＤＩＤは、ＥＤＩＤを拡張したものであり、ＥＤＩＤよりも多くの能力情報を含む。例えば、電子機器１００のＥ−ＥＤＩＤには、電子機器１００がサポートしている画像データ及び音声データのフォーマットなどに関する情報が含まれている。以下、ＥＤＩＤ及びＥ−ＥＤＩＤをいずれも「ＥＤＩＤ」と呼ぶ。なお、電子機器１００のＥＤＩＤは、予め電子機器１００に記録されているものとする。
【００３１】
また、第２の情報は、制御データの送受信を可能にするために必要な情報である。第２の情報は、例えば、ＤＰＣＤ（Ｄｉｓｐｌａｙ  Ｐｏｒｔ  Ｃｏｎｆｉｇｕｒａｔｉｏｎ  Ｄａｔａ）である。電子機器１００のＤＰＣＤは、電子機器１００の受信能力、電子機器１００の状態、電子機器１００との間のＡＵＸ通信の状態の少なくとも一つを示す情報を示す。なお、電子機器１００のＤＰＣＤは、予め電子機器１００に記録されているものとする。
【００３２】
また、ＨＰＤ信号制御部２０２は、ＢＲＡＮＣＨ部１０３が動作可能な状態でないと検出された場合、ＬレベルのＨＰＤ信号を外部装置に送信するためにＨＰＤピン１０１ｂに印加される電圧が第２の閾値よりも低くなるように制御する。この場合、外部装置がＬレベルのＨＰＤ信号を検出したとき、外部装置は、電子機器１００の存在を検出することができないので、第１の情報及び第２の情報を電子機器１００から取得できない。
【００３３】
また、ＨＰＤ信号制御部２０２は、ＨＰＤ信号検出部２０１によって検出されたＨＰＤ信号がＨレベルであるか、Ｌレベルであるかを示す情報をＨＰＤ信号検出部２０１から取得し、入力接続記憶部２０４に供給する。
【００３４】
ＡＵＸ通信検出部２０３は、ＡＵＸ信号を受信したか否かを検出する。ＡＵＸ通信検出部２０３は、ＡＵＸ信号を受信したか否かを示す情報を入力接続記憶部２０４に供給する。
【００３５】
入力接続記憶部２０４は、ＨＰＤ信号制御部２０２及びＡＵＸ通信検出部２０３から供給される情報を記憶する。制御部１０８は、入力接続記憶部２０４に記憶されている情報を用いて、入力コネクタ１０１が、「未接続状態」、「正常接続状態」及び「誤接続状態」のいずれか一つであるかを検出する。さらに、制御部１０８は、検出結果から得られた入力コネクタ１０１の状態を示す情報を入力接続記憶部２０４に記憶する。
【００３６】
ＢＲＡＮＣＨ部１０３は、入力コネクタ１０１と接続され、出力コネクタ１０４と接続され、通信部１０６と接続される。ＢＲＡＮＣＨ部１０３は、入力コネクタ１０１を介してＡＵＸ信号及びＭＡＩＮ  ＬＩＮＫ信号の少なくとも一つを受信し、受信したＡＵＸ信号及びＭＡＩＮ  ＬＩＮＫ信号の少なくとも一つを通信部１０６に供給する。また、ＢＲＡＮＣＨ部１０３は、通信部１０６から供給されたＡＵＸ信号を入力コネクタ１０１を介して送信することもできる。
【００３７】
さらに、ＢＲＡＮＣＨ部１０３は、出力コネクタ１０４を介してＡＵＸ信号を受信し、通信部１０６に供給する。また、ＢＲＡＮＣＨ部１０３は、通信部１０６から供給されたＡＵＸ信号及びＭＡＩＮ  ＬＩＮＫ信号の少なくとも一つを出力コネクタ１０４を介して送信することもできる。
【００３８】
また、ＢＲＡＮＣＨ部１０３は、入力コネクタ１０１を介して受信したＡＵＸ信号を出力コネクタ１０４を介して外部装置に送信することもできる。さらに、ＢＲＡＮＣＨ部１０３は、出力コネクタ１０４を介して受信したＡＵＸ信号を入力コネクタ１０１を介して外部装置に送信することもできる。
【００３９】
出力コネクタ１０４は、通信ケーブル４００を介して外部装置を接続する。出力コネクタ１０４は、通信ケーブル４００を介して電子機器１００から外部にＭＡＩＮ  ＬＩＮＫ信号を出力するためのコネクタである。出力コネクタ１０４は、通信ケーブル４００を接続するために、図３のように、ＡＵＸピン１０４ａ、ＨＰＤピン１０４ｂ及びＭＡＩＮ  ＬＩＮＫ  ＬＡＮＥピン１０４ｃを有する。出力コネクタ１０４と通信ケーブル４００とが接続された場合、ＡＵＸピン１０４ａとＡＵＸライン４０１とが接続され、ＨＰＤピン１０４ｂとＨＰＤライン４０２とが接続される。さらに、出力コネクタ１０４と通信ケーブル４００とが接続された場合、ＭＡＩＮ  ＬＩＮＫ  ＬＡＮＥピン１０４ｃとＭＡＩＮ  ＬＩＮＫライン４０３とが接続される。
【００４０】
出力コネクタ１０４と、通信ケーブル４００及び外部装置の少なくとも一つが接続されていない場合、出力コネクタ１０４は、未接続状態となる。出力コネクタ１０４と外部装置の入力コネクタとが通信ケーブル４００を介して接続される場合、電子機器１００と外部装置とが正常に接続されるので、出力コネクタ１０４は、正常接続状態となる。出力コネクタ１０４と外部装置の出力コネクタとが通信ケーブル４００を介して接続される場合、電子機器１００と外部装置とが誤接続されたことになるため、出力コネクタ１０４は、誤接続状態となる。
【００４１】
出力コネクタ１０４が正常接続状態である場合、電子機器１００は、外部装置からＨＰＤ信号を一方向で受信し、電子機器１００から外部装置にＨＰＤ信号を送信しない。出力コネクタ１０４が正常接続状態である場合、電子機器１００は、通信ケーブル４００を介して外部装置にＭＡＩＮ  ＬＩＮＫ信号を送信することができる。出力コネクタ１０４が正常接続状態である場合、電子機器１００は、通信ケーブル４００を介して外部装置とＡＵＸ信号を双方向で送受信することができる。
【００４２】
出力コネクタ１０４が誤接続状態である場合、外部装置から電子機器１００にＨＰＤ信号が送信されない場合がある。出力コネクタ１０４が誤接続状態である場合、電子機器１００は、通信ケーブル４００を介して外部装置にＭＡＩＮ  ＬＩＮＫ信号を送信することはできない。出力コネクタ１０４が誤接続状態である場合、電子機器１００は、通信ケーブル４００を介して外部装置とＡＵＸ信号を双方向で送受信することはできない。
【００４３】
出力接続検出部１０５は、出力コネクタ１０４が、未接続状態、正常接続状態及び誤接続状態のいずれか一つであることを検出する。
【００４４】
次に、出力接続検出部１０５について、図３を用いて詳細に説明する。図３において、出力接続検出部１０５は、ＨＰＤ入出力切替部３０１、ＨＰＤ信号検出部３０２、ＨＰＤ信号制御部３０３と、ＡＵＸ通信検出部３０４と、出力接続記憶部３０５とを有する。
【００４５】
ＨＰＤ入出力切替部３０１は、ＨＰＤピン１０４ｂを、ＨＰＤ信号検出部３０２及びＨＰＤ信号制御部３０３のいずれか一つに接続する。
【００４６】
ＨＰＤ入出力切替部３０１は、ＨＰＤ受信モードと、ＨＰＤ送信モードとを有する。ＨＰＤ入出力切替部３０１がＨＰＤ受信モードである場合、ＨＰＤ入出力切替部３０１は、ＨＰＤピン１０４ｂとＨＰＤ信号検出部３０２とを接続する。ＨＰＤ入出力切替部３０１がＨＰＤ受信モードである場合、ＨＰＤ入出力切替部３０１は、ＨＰＤピン１０４ｂとＨＰＤ信号制御部３０３とを接続しないようにする。ＨＰＤ入出力切替部３０１がＨＰＤ送信モードである場合、ＨＰＤ入出力切替部３０１は、ＨＰＤピン１０４ｂとＨＰＤ信号制御部３０３とを接続する。ＨＰＤ入出力切替部３０１がＨＰＤ送信モードである場合、ＨＰＤ入出力切替部３０１は、ＨＰＤピン１０４ｂとＨＰＤ信号検出部３０２とを接続しないようにする。
【００４７】
ＨＰＤ信号検出部３０２は、ＨＰＤピン１０４ｂの電圧を測定し、ＨＰＤピン１０４ｂの電圧を示すＨＰＤ信号が、Ｈレベルであるか、Ｌレベルであるかを検出する。例えば、ＨＰＤ信号検出部３０２は、測定したＨＰＤピン１０４ｂの電圧が第１の閾値より高い場合は、ＨＰＤ信号がＨレベルであると検出する。また、ＨＰＤ信号検出部３０２は、測定したＨＰＤピン１０４ｂの電圧が第２の閾値より低い場合は、ＨＰＤ信号がＬレベルであると検出する。
【００４８】
また、ＨＰＤ信号検出部３０２は、検出したＨＰＤ信号がＨレベルであるかＬレベルであるかを示す情報を出力接続記憶部３０５に供給する。
【００４９】
ＨＰＤ信号制御部３０３は、ＨＰＤ入出力切替部３０１がＨＰＤ送信モードである場合、ＨＰＤピン１０４ｂに印加される電圧を制御することでＨＰＤ信号を外部装置に送信する。ＨＰＤ信号制御部３０３は、出力コネクタ１０４と外部装置とが通信ケーブル４００を介して接続されている場合、ＡＵＸ通信の認証を開始することを外部装置に検出させるために、ＨＰＤ信号を外部装置に送信する。なお、ＨＰＤ信号制御部３０３は、ＨＰＤ入出力切替部３０１がＨＰＤ受信モードである場合、ＨＰＤピン１０４ｂに印加される電圧を制御しない。
【００５０】
また、ＨＰＤ信号制御部３０３は、ＨＰＤ信号をＨレベルにするためにＨＰＤピン１０４ｂの電圧を制御しているか、ＨＰＤ信号をＬレベルにするためにＨＰＤピン１０４ｂの電圧を制御を行っているかを示す情報を出力接続記憶部３０５に供給する。
【００５１】
ＡＵＸ通信検出部３０４は、ＡＵＸ信号を受信したか否かを検出する。ＡＵＸ通信検出部３０４は、ＡＵＸ信号を受信したか否かを示す情報を出力接続記憶部３０５に供給する。
【００５２】
出力接続記憶部３０５は、ＨＰＤ信号検出部３０２、ＨＰＤ信号制御部３０３及びＡＵＸ通信検出部３０４から供給される情報を記憶する。制御部１０８は、出力接続記憶部３０５に記憶されている情報を用いて、出力コネクタ１０４が、「未接続状態」、「正常接続状態」及び「誤接続状態」のいずれか一つであるかを検出する。さらに、制御部１０８は、検出結果から得られた出力コネクタ１０４の状態を示す情報を出力接続記憶部３０５に記憶する。
【００５３】
通信部１０６は、ＢＲＡＮＣＨ部１０３から供給されたＭＡＩＮ  ＬＩＮＫ信号を表示部１０９に供給する。通信部１０６は、ＢＲＡＮＣＨ部１０３から供給されたＡＵＸ信号を制御部１０８に供給する。また、電子機器１００が入力コネクタ１０１を介して外部装置と接続されている場合、制御部１０８は、外部装置を制御するためのＡＵＸ信号を生成し、入力コネクタ１０１を介して外部装置に送信するようにＢＲＡＮＣＨ部１０３及び通信部１０６を制御する。また、電子機器１００が出力コネクタ１０４を介して外部装置と接続されている場合、制御部１０８は、外部装置を制御するためのＡＵＸ信号を生成し、出力コネクタ１０４を介して外部装置に送信するようにＢＲＡＮＣＨ部１０３及び通信部１０６を制御する。
【００５４】
画像生成部１０７は、制御部１０８からの指示に応じて、画像データを生成する。画像生成部１０７によって生成された画像データは、表示部１０９に供給される。
【００５５】
制御部１０８は、電子機器１００の各部を制御する。なお、制御部１０８は、制御部１０８の内部メモリに記録されているコンピュータプログラムを実行することによって、電子機器１００を制御する。なお、制御部１０８は、ＣＰＵ等を含む。また、制御部１０８は、ハードウェアにより構成されるものである。
【００５６】
表示部１０９は、通信部１０６及び画像生成部１０７のいずれか一つから供給される画像データを表示する。
【００５７】
図４は、制御部１０８によって行われる第１の検出処理を示すフローチャートである。第１の検出処理は、入力コネクタ１０１の接続状態を検出し、入力コネクタ１０１と外部装置の入力コネクタとが誤接続されているか否かを判定するための処理である。なお、第１の検出処理は、制御部１０８の内部メモリに記録されているコンピュータプログラムを制御部１０８が実行することによって実現することができる。なお、図４の第１の検出処理は、電子機器１００の電源がオンになった場合に行われるものとする。
【００５８】
ＢＲＡＮＣＨ部１０３が動作可能な状態であることをＢＲＡＮＣＨ部１０３が制御部１０８に通知した場合、Ｓ４０１で、制御部１０８は、入力コネクタ１０１におけるＨＰＤ信号をＬレベルからＨレベルに変更するようにＨＰＤ信号制御部２０２を制御する。この場合、Ｓ４０２に進む。
【００５９】
Ｓ４０２において、制御部１０８は、ＨＰＤピン１０１ｂの電圧を測定し、ＨＰＤ信号を検出するようにＨＰＤ信号検出部２０１を制御する。この場合、本フローチャートは、Ｓ４０２からＳ４０３に進む。
【００６０】
入力コネクタ１０１に外部装置の入力コネクタが通信ケーブル４００を介して接続される場合、外部装置の入力コネクタから電子機器１００にＨＰＤ信号が供給されることにより、入力コネクタ１０１におけるＨＰＤ信号のレベルが変化する場合がある。そこで、入力コネクタ１０１におけるＨＰＤ信号がＨレベルになるように制御した後、制御部１０８は、ＨＰＤ信号検出部２０１により入力コネクタ１０１におけるＨＰＤ信号のレベルが変化するか否かを検出する。このことで、制御部１０８は、外部装置がＨＰＤ信号を電子機器１００に供給するか否かを判定する。
【００６１】
Ｓ４０３において、制御部１０８は、ＨＰＤ信号検出部２０１によって検出されたＨＰＤ信号がＨレベルであるか否か判定する。ＨＰＤ信号検出部２０１によって検出されたＨＰＤ信号がＨレベルであると判定された場合（Ｓ４０３でＹｅｓ）、制御部１０８は、外部装置から電子機器１００にＨＰＤ信号が供給されていないと判定し、Ｓ４０４に進む。
【００６２】
ＨＰＤ信号検出部２０１によって検出されたＨＰＤ信号がＨレベルでないと判定された場合（Ｓ４０３でＮｏ）、制御部１０８は、外部装置から電子機器１００にＨＰＤ信号が供給されていると判定する。外部装置が電子機器１００にＨＰＤ信号を供給する場合、制御部１０８は、外部装置の入力コネクタが通信ケーブル４００を介して電子機器１００の入力コネクタ１０１に接続されていると判定し、Ｓ４１０に進む。
【００６３】
Ｓ４１０において、制御部１０８は、入力コネクタ１０１が誤接続状態であると判定する。さらに、制御部１０８は、警告用の第１の画像データを生成するように画像生成部１０７を制御する。さらに、制御部１０８は、第１の画像データを表示するように表示部１０９を制御する。なお、第１の画像データとは、入力コネクタ１０１と外部装置とが誤接続されていることを通知するためのデータであるが、入力コネクタ１０１に接続されている外部装置を電子機器１００から取り外すように促すためのデータであってもよい。また、第１の画像データは、入力コネクタ１０１に通信エラーが発生していることを通知するデータであってもよい。なお、第１の画像データは、入力コネクタ１０１が誤接続状態であることを警告するためのデータであれば良いものとする。
【００６４】
この場合、本フローチャートは終了する。なお、入力コネクタ１０１が誤接続状態以外の状態になるまでの間、制御部１０８は、第１の画像データが表示部１０９に表示されるようにしてもよい。また、制御部１０８は、特定の時間が経過するまでの間、第１の画像データが表示部１０９に表示されるようにしてもよい。また、制御部１０８は、第１の画像データが表示部１０９の代わりに外部の表示装置に表示されるように制御してもよい。
【００６５】
Ｓ４０４において、制御部１０８は、ＨＰＤ信号がＨレベルであると判定されてから（Ｓ４０３でＹｅｓ）所定の時間が経過するまでに、入力コネクタ１０１を介してＡＵＸ通信の認証が行われたか否かを検出する。制御部１０８は、ＡＵＸ通信検出部２０３によってＡＵＸ信号を受信したと検出されたか否かを判定する。さらに、制御部１０８は、ＡＵＸ通信検出部２０３によってＡＵＸ信号を受信したと検出された場合、受信したＡＵＸ信号が第１の情報及び第２の情報の少なくとも一つを取得するためのＡＵＸ信号であるか否かを判定する。
【００６６】
受信したＡＵＸ信号が第１の情報及び第２の情報の少なくとも一つを取得するためのＡＵＸ信号であると判定された場合、制御部１０８は、所定の時間が経過するまでに、入力コネクタ１０１を介してＡＵＸ通信の認証が行われたと判断し、Ｓ４０５に進む。
【００６７】
Ｓ４０５において、制御部１０８は、入力コネクタ１０１が正常接続状態であると判定する。この場合、制御部１０８は、入力コネクタ１０１を介して接続される外部装置からＭＡＩＮ  ＬＩＮＫ信号を受信したり、入力コネクタ１０１を介して接続される外部装置とＡＵＸ信号のやり取りを行う。この場合、本フローチャートは、終了する。
【００６８】
受信したＡＵＸ信号が第１の情報及び第２の情報の少なくとも一つを取得するためのＡＵＸ信号でないと判定された場合、制御部１０８は、所定の時間が経過するまでに、入力コネクタ１０１を介してＡＵＸ通信の認証が行われていないと判断し、Ｓ４０６に進む。
【００６９】
制御部１０８は、ＡＵＸ通信検出部２０３によってＡＵＸ信号を受信したと検出されていない場合、制御部１０８は、所定の時間が経過するまでに入力コネクタ１０１を介してＡＵＸ通信の認証が行われていないと判断し、Ｓ４０６に進む。
【００７０】
ＨＰＤ信号がＨレベルであり（Ｓ４０３でＹｅｓ）、かつ、外部装置とＡＵＸ通信の認証が行われていない場合（Ｓ４０４でＮｏ）、制御部１０８は、入力コネクタ１０１が誤接続状態であるのか、未接続状態であるのかを正確に判定することができない。
【００７１】
そこで、入力コネクタ１０１におけるＨＰＤ信号をＬレベルにするように制御した後、制御部１０８は、入力コネクタ１０１におけるＨＰＤ信号のレベルが変化するか否かを検出することで、外部装置がＨＰＤ信号を電子機器１００に供給するか否かを検出する。
【００７２】
すなわち、Ｓ４０６において、制御部１０８は、入力コネクタ１０１におけるＨＰＤ信号をＨレベルからＬレベルに変更するようにＨＰＤ信号制御部２０２を制御し、Ｓ４０７に進む。
【００７３】
Ｓ４０７において、制御部１０８は、ＨＰＤピン１０１ｂの電圧を測定し、ＨＰＤ信号を検出するようにＨＰＤ信号検出部２０１を制御し、Ｓ４０８に進む。
【００７４】
Ｓ４０８において、制御部１０８は、ＨＰＤ信号検出部２０１によって検出されたＨＰＤ信号がＬレベルであるか否か判定する。ＨＰＤ信号検出部２０１によって検出されたＨＰＤ信号がＬレベルであると判定された場合（Ｓ４０８でＹｅｓ）、制御部１０８は、外部装置から電子機器１００にＨＰＤ信号が供給されていないと判定し、Ｓ４０９に進む。
【００７５】
Ｓ４０９において、制御部１０８は、入力コネクタ１０１が未接続状態であると判定する。なお、この場合、制御部１０８は、一定の時間が経過した後、再び、図４における第１の検出処理を行い、入力コネクタ１０１が、正常接続状態、誤接続状態及び未接続状態のいずれか一つであると判定する。
【００７６】
ＨＰＤ信号検出部２０１によって検出されたＨＰＤ信号がＬレベルでないと判定された場合（Ｓ４０８でＮｏ）、制御部１０８は、外部装置から電子機器１００にＨＰＤ信号が供給されていると判定する。外部装置が電子機器１００にＨＰＤ信号を供給する場合、制御部１０８は、外部装置の入力コネクタが通信ケーブル４００を介して電子機器１００の入力コネクタ１０１に接続されていると判定し、Ｓ４１０に進む。
【００７７】
図５は、制御部１０８によって行われる第２の検出処理を示すフローチャートである。第２の検出処理は、出力コネクタ１０４の接続状態を検出し、出力コネクタ１０４と外部装置の出力コネクタとが誤接続されているか否かを判定するための処理である。なお、第２の検出処理は、制御部１０８の内部メモリに記録されているコンピュータプログラムを制御部１０８が実行することによって実現することができる。なお、図５の第２の検出処理は、電子機器１００の電源がオンになった場合に行われるものとする。
【００７８】
Ｓ５０１において、制御部１０８は、ＨＰＤ入出力切替部３０１をＨＰＤ受信モードに設定し、Ｓ５０２に進む。
【００７９】
出力コネクタ１０４に外部装置の入力コネクタが通信ケーブル４００を介して接続される場合、外部装置の入力コネクタから電子機器１００にＨＰＤ信号が供給されることにより、出力コネクタ１０４におけるＨＰＤ信号のレベルが変化する場合がある。
【００８０】
そこで、Ｓ５０２において、制御部１０８は、ＨＰＤ信号検出部２０１によって検出されたＨＰＤ信号がＬレベルからＨレベルに変更されたか否か判定する。制御部１０８によって、ＨＰＤ信号検出部２０１によって検出されたＨＰＤ信号がＬレベルからＨレベルに変更されたと判定された場合（Ｓ５０２でＹｅｓ）、制御部１０８は、外部装置から電子機器１００にＨＰＤ信号が供給されていると判定する。すなわち、この場合、制御部１０８は、出力コネクタ１０４に外部装置の入力コネクタが通信ケーブル４００を介して接続されると判定し、Ｓ５０３に進む。
【００８１】
Ｓ５０３において、制御部１０８は、出力コネクタ１０４が正常接続状態であると判定する。この場合、制御部１０８は、出力コネクタ１０４を介して接続される外部装置にＭＡＩＮ  ＬＩＮＫ信号を送信したり、出力コネクタ１０４を介して接続される外部装置とＡＵＸ信号のやり取りを行う。この場合、本フローチャートは終了する。
【００８２】
一方、制御部１０８によって、ＨＰＤ信号検出部２０１によって検出されたＨＰＤ信号がＬレベルからＨレベルに変更されていないと判定された場合（Ｓ５０２でＮｏ）、制御部１０８は、外部装置から電子機器１００にＨＰＤ信号が供給されていないと判定する。しかし、この場合、制御部１０８は、出力コネクタ１０４が誤接続状態であるのか、未接続状態であるのかを正確に判定することができない。
【００８３】
そこで、Ｓ５０４において、制御部１０８は、ＨＰＤ入出力切替部３０１をＨＰＤ送信モードに設定し、Ｓ５０５に進む。
【００８４】
出力コネクタ１０４に外部装置の出力コネクタが通信ケーブル４００を介して接続される場合、外部装置から電子機器１００にＨＰＤ信号は供給されないので、出力コネクタ１０４におけるＨＰＤ信号のレベルが変化しない場合がある。
【００８５】
そこで、出力コネクタ１０４におけるＨＰＤ信号がＨレベルになるように制御した後、制御部１０８は、外部装置から第１の情報及び第２の情報の少なくとも一つを取得するためのＡＵＸ信号を受信したか否かを判定する。さらに、制御部１０８は、その判定結果に応じて、出力コネクタ１０４が誤接続状態であるのか、未接続状態であるのかを判定する。
【００８６】
すなわち、Ｓ５０５において、制御部１０８は、ＨレベルのＨＰＤ信号を出力コネクタ１０４を介して接続される外部装置に出力するようにＨＰＤ信号制御部２０２を制御し、Ｓ５０６に進む。
【００８７】
Ｓ５０６において、制御部１０８は、ＨレベルのＨＰＤ信号が出力されてから所定の時間が経過するまでに、出力コネクタ１０４を介してＡＵＸ通信の認証が行われたか否かを検出する。制御部１０８は、ＡＵＸ通信検出部３０４によりＡＵＸ信号を受信したと検出されたか否かを判定する。さらに、制御部１０８は、ＡＵＸ信号を受信したと検出された場合、受信したＡＵＸ信号が第１の情報及び第２の情報の少なくとも一つを取得するためのＡＵＸ信号であるか否かを判定する。
【００８８】
受信したＡＵＸ信号が第１の情報及び第２の情報の少なくとも一つを取得するためのＡＵＸ信号であると判定された場合、制御部１０８は、所定の時間が経過するまでに、出力コネクタ１０４を介してＡＵＸ通信の認証が行われたことを判定し、Ｓ５０７に進む。
【００８９】
Ｓ５０７において、制御部１０８は、出力コネクタ１０４が誤接続状態であると判定する。さらに、制御部１０８は、警告用の第２の画像データを生成するように画像生成部１０７を制御する。さらに、制御部１０８は、第２の画像データを表示するように表示部１０９を制御する。なお、第２の画像データとは、出力コネクタ１０４と外部装置とが誤接続されていることを通知するためのデータであってもよく、出力コネクタ１０４に接続されている外部装置を電子機器１００から取り外すように促すためのデータであってもよい。なお、第２の画像データは、出力コネクタ１０４に通信エラーが発生していることを通知する画像データであってもよい。なお、第２の画像データは、出力コネクタ１０４が誤接続状態であることを警告するためのデータであれば良いものとする。この場合、本フローチャートは終了する。なお、出力コネクタ１０４の接続状態が誤接続状態以外の状態になるまでの間、制御部１０８は、第２の画像データが表示部１０９に表示され続けるようにしてもよい。また、制御部１０８は、特定の時間が経過するまでの間、第２の画像データが表示部１０９に表示されるようにしてもよい。また、制御部１０８は、第２の画像データが表示部１０９の代わりに外部の表示装置に表示されるように制御してもよい。
【００９０】
受信したＡＵＸ信号が第１の情報及び第２の情報の少なくとも一つを取得するためのＡＵＸ信号でないと判定された場合（Ｓ５０６でＮｏ）、制御部１０８は、所定の時間が経過するまでに出力コネクタ１０４を介してＡＵＸ通信の認証が行われていないとを判定し、Ｓ５０８に進む。
【００９１】
Ｓ５０８において、制御部１０８は、出力コネクタ１０４が未接続状態であると判定する。なお、この場合、制御部１０８は、一定の時間が経過した後、再び、図５における第２の検出処理を行い、出力コネクタ１０４が、正常接続状態、誤接続状態及び未接続状態のいずれか一つであるかを判定するようにしてもよい。
【００９２】
このように、実施例１に係る電子機器１００は、ＨＰＤ信号のレベルの検出とＡＵＸ通信によって、電子機器１００の入力コネクタ１０１と外部装置の入力コネクタとが接続されているか否かを検出するようにした。電子機器１００は、電子機器１００の入力コネクタ１０１と外部装置の入力コネクタとが接続されている場合、電子機器１００と外部装置とが誤接続されていることをユーザに通知する。さらに、電子機器１００は、ＨＰＤ信号のレベルの検出とＡＵＸ通信によって、電子機器１００の出力コネクタ１０４と外部装置の出力コネクタとが接続されているか否かを検出するようにした。電子機器１００の出力コネクタ１０４と外部装置の出力コネクタとが接続されている場合、電子機器１００と外部装置とが誤接続されていることをユーザに通知する。このため、電子機器１００は、電子機器１００と外部装置とを正常に接続させるようにユーザに促すことができる。
【００９３】
ＨＰＤ信号のレベルの検出とＡＵＸ通信とは、電子機器１００と外部装置との間で通信の認証を行う際に行われるので、電子機器１００は、容易に電子機器と外部装置とが誤接続であるか否かを検出することができる。
【００９４】
したがって、実施例１に係る電子機器１００は、入力コネクタと出力コネクタとが同一の形状である電子機器１００と外部装置とが誤接続されているか否かを正確に検出し、電子機器と外部装置とが正常に接続されるようにすることができる。
【００９５】
なお、第１の検出処理及び第２の検出処理により入力コネクタ１０１が誤接続状態であり、かつ、出力コネクタ１０４が誤接続状態であると検出された場合、制御部１０８は、警告用の第１の画像データ及び第２の画像データが表示されるようにする。
【００９６】
［実施例２］
実施例２について、以下説明を行う。電子機器１００の入力コネクタ１０１と送信装置５００の出力コネクタとを通信ケーブル４００ａを介して接続し、電子機器１００の出力コネクタ１０４と表示装置６００の入力コネクタとを通信ケーブル４００ｂを介してカスケード接続する通信システムがある。この通信システムでは、送信装置５００（第２の外部装置）から送信される画像データは電子機器１００により受信される。さらに、この通信システムでは、電子機器１００（第１の外部装置）は、送信装置５００から受信した画像データを表示装置６００に送信し、表示装置６００は、電子機器１００から送信された画像データを受信する。そのため、このような通信システムにおいて、ユーザは、送信装置５００から送信される画像データを電子機器１００及び表示装置６００において視聴することができる。
【００９７】
なお、通信ケーブル４００ａ及び通信ケーブル４００ｂは、実施例１において説明された通信ケーブル４００と同様な構成を有するものであるものとする。
【００９８】
しかし、図６（ａ）に示されるような接続をした場合、電子機器１００の出力コネクタ１０４と送信装置５００の出力コネクタとが接続されているため、電子機器１００と送信装置５００は、正常な通信を行うことができない。また、図６（ｂ）に示されるような接続状態の場合、電子機器１００の出力コネクタ１０４と表示装置６００の出力コネクタとが接続されているため、電子機器１００と表示装置６００は、正常な通信を行うことができない。
【００９９】
図６（ａ）及び図６（ｂ）に示されるような接続が行われた場合、ユーザは、送信装置５００から送信される画像データを電子機器１００及び表示装置６００において視聴することができない。そこで、実施例２に係る電子機器１００において、このような問題を解決する。
【０１００】
実施例２において、実施例１において説明された処理や構成と共通する箇所は説明を省略し、実施例１において説明された処理や構成と異なる箇所について、説明を行うものとする。
【０１０１】
図７は、制御部１０８によって行われる通知処理を示すフローチャートである。通知処理は、入力コネクタ１０１または出力コネクタ１０４が誤接続状態であることを電子機器１００に接続されている送信装置５００及び表示装置６００のいずれか一つに通知するための処理である。
【０１０２】
なお、通知処理は、制御部１０８の内部メモリに記録されているコンピュータプログラムを制御部１０８が実行することによって実現することができる。なお、図７の通知処理は、電子機器１００の電源がオンになった場合に行われるものとする。なお、図７の通知処理が制御部１０８によって行われる前に、図４の第１の検出処理及び図５の第２の検出処理が制御部１０８によって行われたものとする。
【０１０３】
Ｓ７０１において、制御部１０８は、出力コネクタ１０４が正常接続状態であるか否かを検出する。制御部１０８によって、出力コネクタ１０４が正常接続状態であると検出された場合（Ｓ７０１でＹｅｓ）、本フローチャートは、Ｓ７０１からＳ７０２に進む。制御部１０８によって、出力コネクタ１０４が正常接続状態でないと検出された場合（Ｓ７０１でＮｏ）、本フローチャートは、Ｓ７０１からＳ７０３に進む。
【０１０４】
Ｓ７０３において、制御部１０８は、入力コネクタ１０１が正常接続状態であるか否かを検出する。制御部１０８によって、入力コネクタ１０１が正常接続状態であると検出された場合（Ｓ７０３でＹｅｓ）、本フローチャートは、Ｓ７０３からＳ７０４に進む。制御部１０８によって、入力コネクタ１０１が正常接続状態でないと検出された場合（Ｓ７０３でＮｏ）、本フローチャートは、終了する。
【０１０５】
Ｓ７０４において、制御部１０８は、出力コネクタ１０４が誤接続状態であるか否かを検出する。制御部１０８によって、出力コネクタ１０４が誤接続状態であると検出された場合（Ｓ７０４でＹｅｓ）、本フローチャートは、Ｓ７０４からＳ７０５に進む。制御部１０８によって、出力コネクタ１０４が誤接続状態でないと検出された場合（Ｓ７０４でＮｏ）、本フローチャートは、Ｓ７０４からＳ７０６に進む。
【０１０６】
Ｓ７０５において、制御部１０８は、出力コネクタ１０４が誤接続状態であることを通知するためのＡＵＸ信号を生成し、これを入力コネクタ１０１に接続されている外部装置に送信するように通信部１０６及びＢＲＡＮＣＨ部１０３を制御する。出力コネクタ１０４の接続状態が誤接続状態であることを通知するためのＡＵＸ信号には、出力コネクタ１０４が誤接続状態であることを表示するように制御するためのデータが含まれていてもよい。また、出力コネクタ１０４が誤接続状態であることを通知するためのＡＵＸ信号には、出力コネクタ１０４に接続されている外部装置を取り外すように促す旨を表示するように制御するためのデータが含まれている。
【０１０７】
図６（ａ）のような場合、制御部１０８は、通信ケーブル４００ｂを出力コネクタ１０４から取り外すように促す旨を表示させる制御データを入力コネクタ１０１に接続される表示装置６００に送信する。さらに、制御部１０８は、出力コネクタ１０４から取り外された通信ケーブル４００ｂを表示装置６００の入力コネクタに接続するように促す旨を表示させる制御データを入力コネクタ１０１に接続される表示装置６００に送信する。
【０１０８】
図６（ｂ）のような場合、制御部１０８は、通信ケーブル４００ａを表示装置６００の出力コネクタから取り外すように促す旨を表示させる制御データを入力コネクタ１０１に接続される送信装置５００に送信する。さらに、制御部１０８は、表示装置６００から出力コネクタから取り外された通信ケーブル４００ａを表示装置６００の入力コネクタに接続するように促す旨を表示させる制御データを入力コネクタ１０１に接続される送信装置５００に送信する。この場合、本フローチャートは終了する。
【０１０９】
Ｓ７０６において、制御部１０８は、出力コネクタ１０４が未接続状態であることを通知するためのＡＵＸ信号を生成し、これを入力コネクタ１０１に接続されている外部装置に送信するように通信部１０６及びＢＲＡＮＣＨ部１０３を制御する。出力コネクタ１０４が未接続状態であることを通知するためのＡＵＸ信号には、出力コネクタ１０４が未接続状態であることを表示するように制御するためのデータが含まれる。この場合、本フローチャートは終了する。
【０１１０】
一方、Ｓ７０２において、制御部１０８は、入力コネクタ１０１が正常接続状態であるか否かを検出する。制御部１０８によって、入力コネクタ１０１が正常接続状態であると検出された場合（Ｓ７０２でＹｅｓ）、本フローチャートは、終了する。制御部１０８によって、入力コネクタ１０１が正常接続状態でないと検出された場合（Ｓ７０２でＮｏ）、本フローチャートは、Ｓ７０２からＳ７０７に進む。
【０１１１】
Ｓ７０７において、制御部１０８は、入力コネクタ１０１が誤接続状態であるか否かを検出する。制御部１０８によって、入力コネクタ１０１が誤接続状態であると検出された場合（Ｓ７０７でＹｅｓ）、本フローチャートは、Ｓ７０７からＳ７０８に進む。制御部１０８によって、入力コネクタ１０１が誤接続状態でないと検出された場合（Ｓ７０７でＮｏ）、本フローチャートは、Ｓ７０７からＳ７０９に進む。
【０１１２】
Ｓ７０８において、制御部１０８は、入力コネクタ１０１が誤接続状態であることを通知するためのＡＵＸ信号を生成し、これを出力コネクタ１０４に接続されている外部装置に送信するように通信部１０６及びＢＲＡＮＣＨ部１０３を制御する。入力コネクタ１０１が誤接続状態であることを通知するためのＡＵＸ信号には、入力コネクタ１０１の接続状態が誤接続状態であることを表示するように制御するためのデータが含まれる。また、入力コネクタ１０１が誤接続状態であることを通知するためのＡＵＸ信号には、入力コネクタ１０１に接続されている外部装置を取り外すように促す旨を表示するように制御するためのデータが含まれる。この場合、本フローチャートは終了する。
【０１１３】
Ｓ７０９において、制御部１０８は、入力コネクタ１０１が未接続状態であることを通知するためのＡＵＸ信号を生成し、これを出力コネクタ１０４に接続されている外部装置に送信するように通信部１０６及びＢＲＡＮＣＨ部１０３を制御する。入力コネクタ１０１が未接続状態であることを通知するためのＡＵＸ信号には、入力コネクタ１０１が未接続状態であることを表示するように制御するためのデータが含まれていてもよい。この場合、本フローチャートは終了する。
【０１１４】
このように実施例２に係る電子機器１００は、入力コネクタ１０１及び出力コネクタ１０４のいずれか一つが誤接続されている場合において、入力コネクタ１０１及び出力コネクタ１０４のいずれか一つが誤接続されている旨を外部装置に表示させるようにした。これにより、電子機器１００は、入力コネクタ１０１及び出力コネクタ１０４のいずれか一つが誤接続されている旨をユーザに通知できるようにした。また、電子機器１００は、電子機器１００及び表示装置６００において送信装置５００から送信される画像データを視聴する通信システムになるように電子機器１００と外部装置との接続を変更させるようにユーザに促すことができる。
【０１１５】
したがって、実施例２に係る電子機器１００は、電子機器１００と外部装置との誤接続を正確に検出し、電子機器１００と外部装置とが正常に接続されるようにすることができる。
【０１１６】
なお、実施例２に係る電子機器１００において、実施例１と共通する構成や処理については、実施例１に係る電子機器１００と同様な効果を有するものとする。なお、本発明に係る電子機器は、実施例１と実施例２とを組み合わせたものでもよい。
【０１１７】
実施例１及び２において、電子機器１００は、Ｄｉｓｐｌａｙ  Ｐｏｒｔ規格に準拠した装置であり、電子機器１００は、Ｄｉｓｐｌａｙ  Ｐｏｒｔ規格に準拠した通信ケーブル４００を介して外部装置と接続されるものとした。しかし、これに限られないものとする。
【０１１８】
例えば、電子機器１００は、Ｄｉｓｐｌａｙ  Ｐｏｒｔ規格の代わりにＤｉｓｐｌａｙ  Ｐｏｒｔ規格と互換性のある規格に準拠した装置であっても良い。この場合、電子機器１００は、Ｄｉｓｐｌａｙ  Ｐｏｒｔ規格と互換性のある規格に準拠した通信ケーブル４００を介して外部装置と接続されてもよい。なお、Ｄｉｓｐｌａｙ  Ｐｏｒｔ規格に互換性のある規格とは、例えば、Ｔｈｕｎｄｅｒｂｏｌｔ規格等がある。
【０１１９】
例えば、電子機器１００は、Ｄｉｓｐｌａｙ  Ｐｏｒｔ規格以外の規格に準拠した装置であっても良い。この場合、電子機器１００は、Ｄｉｓｐｌａｙ  Ｐｏｒｔ規格以外の規格に準拠した通信ケーブル４００を介して外部装置と接続されてもよい。なお、Ｄｉｓｐｌａｙ  Ｐｏｒｔ規格以外の規格とは、例えば、ＨＤＭＩ（登録商標）規格等がある。
【０１２０】
（他の実施例）
本発明に係る電子機器は、実施例１及び２で説明した電子機器に限定されるものではない。例えば、本発明に係る電子機器は、複数の装置から構成されるシステムにより実現することも可能である。
【０１２１】
また、実施例１及び２で説明した様々な処理及び機能は、コンピュータプログラムにより実現することも可能である。この場合、本発明に係るコンピュータプログラムは、コンピュータ（ＣＰＵ等を含む）で実行可能であり、実施例１及び２で説明した様々な機能を実現することになる。
【０１２２】
本発明に係るコンピュータプログラムは、コンピュータ上で稼動しているＯＳ（Ｏｐｅｒａｔｉｎｇ  Ｓｙｓｔｅｍ）などを利用して、実施例１及び２で説明した様々な処理及び機能を実現してもよいことは言うまでもない。
【０１２３】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【０１２４】
１００  電子機器
１０１  入力コネクタ
１０２  入力接続検出部
１０４  出力コネクタ
１０５  出力接続検出部
【図１】
2014165738.tif 000003
【図２】
2014165738.tif 000004
【図３】
2014165738.tif 000005
【図４】
2014165738.tif 000006
【図５】
2014165738.tif 000007
【図６】
2014165738.tif 000008
【図７】
2014165738.tif 000009